(57)【要約】【課題】光源からの直射光が照明装置の照射方向に照射されてしまうのを回避しつつ、照明装置の照射方向に直交する方向の寸法を小型化する。【解決手段】光源１−１から放射された光が、リフレクタ３の楕円反射面３−１によって反射され、リフレクタ５から遠ざかる側に進み、次いで、リフレクタ３の楕円反射面３−１からの反射光が、リフレクタ４の反射面４−１によってリフレクタ５の放物反射面５−１に反射され、次いで、断面形状が概略二等辺三角形Ａのリフレクタ５の放物反射面５−１からの反射光が、二等辺Ａ１，Ａ２がなす頂点Ａ１２の側（図２の上側）に照射される。【選択図】図２
2008235038.tif 000002
【特許請求の範囲】
【請求項１】
断面形状が概略二等辺三角形の第１リフレクタを設け、二等辺三角形の二等辺の一方の辺に対応する位置に第１リフレクタの第１反射面を形成し、第１リフレクタの第１反射面の背面側に第１光源を配置し、
第１光源から放射された光を集光させるための第１楕円反射面を有する第２リフレクタを、第１光源を隔てて第１リフレクタの反対側に配置し、第１リフレクタから遠ざかる側に進む第２リフレクタの第１楕円反射面からの反射光を第１リフレクタの第１反射面に反射するための第１反射面を有する第３リフレクタを設け、
第１光源から放射された光が、第２リフレクタの第１楕円反射面によって反射され、第１リフレクタから遠ざかる側に進み、次いで、第２リフレクタの第１楕円反射面からの反射光が、第３リフレクタの第１反射面によって第１リフレクタの第１反射面に反射され、次いで、断面形状が概略二等辺三角形の第１リフレクタの第１反射面からの反射光が、二等辺がなす頂点の側に照射されるようにしたことを特徴とする照明装置。
【請求項２】
二等辺三角形の二等辺の他方の辺に対応する位置に第１リフレクタの第２反射面を形成し、第１リフレクタの第２反射面の背面側に第２光源を配置し、
第２光源から放射された光を集光させるための第２楕円反射面を、第２リフレクタに形成すると共に、第２光源を隔てて第１リフレクタの反対側に配置し、
第１リフレクタから遠ざかる側に進む第２リフレクタの第２楕円反射面からの反射光を第１リフレクタの第２反射面に反射するための第２反射面を第３リフレクタに形成し、
第２光源から放射された光が、第２リフレクタの第２楕円反射面によって反射され、第１リフレクタから遠ざかる側に進み、次いで、第２リフレクタの第２楕円反射面からの反射光が、第３リフレクタの第２反射面によって第１リフレクタの第２反射面に反射され、次いで、断面形状が概略二等辺三角形の第１リフレクタの第２反射面からの反射光が、二等辺がなす頂点の側に照射されるようにしたことを特徴とする請求項１に記載の照明装置。
【請求項３】
二等辺三角形の二等辺の一方の辺に対応する位置に形成された第１リフレクタの第１反射面から照射される光を発する第１光源と、二等辺三角形の二等辺の他方の辺に対応する位置に形成された第１リフレクタの第２反射面から照射される光を発する第２光源とを、単一の基板上に配置したことを特徴とする請求項２に記載の照明装置。
【請求項４】
二等辺三角形の二等辺の一方の辺に対応する位置に形成された第１リフレクタの第１反射面から照射される光を発する第１光源、および、二等辺三角形の二等辺の他方の辺に対応する位置に形成された第１リフレクタの第２反射面から照射される光を発する第２光源として、単一の光源を用いたことを特徴とする請求項２に記載の照明装置。
【請求項５】
第３リフレクタの第１反射面からの反射光を再び第３リフレクタの第１反射面に反射するための第３反射面を第１リフレクタに形成し、
第１リフレクタの第３反射面によって１回以上反射された光が、第３リフレクタの第１反射面によって第１リフレクタの第１反射面に反射され、次いで、断面形状が概略二等辺三角形の第１リフレクタの第１反射面からの反射光が、二等辺がなす頂点の側に照射されるようにしたことを特徴とする請求項１に記載の照明装置。
【請求項６】
第２リフレクタの第１楕円反射面を第１副楕円反射面と第２副楕円反射面と第３副楕円反射面とに分割し、
第１光源を、第１副楕円反射面の第１焦点の近傍であって、第２副楕円反射面の第１焦点の近傍であって、第３副楕円反射面の第１焦点の近傍に配置し、
第１リフレクタの第１反射面を第１副反射面と第２副反射面と第３副反射面とに分割し、
第１光源から放射された光の一部が、第２リフレクタの第１副楕円反射面によって反射され、第１リフレクタから遠ざかる側に進み、次いで、第２リフレクタの第１副楕円反射面からの反射光が、第３リフレクタの第１反射面によって第１リフレクタの第１副反射面に反射され、次いで、断面形状が概略二等辺三角形の第１リフレクタの第１副反射面からの反射光が、二等辺がなす頂点の側に照射され、
第１光源から放射された光の一部が、第２リフレクタの第２副楕円反射面によって反射され、第１リフレクタから遠ざかる側に進み、次いで、第２リフレクタの第２副楕円反射面からの反射光が、第３リフレクタの第１反射面によって第１リフレクタの第２副反射面に反射され、次いで、断面形状が概略二等辺三角形の第１リフレクタの第２副反射面からの反射光が、二等辺がなす頂点の側に照射され、
第１光源から放射された光の一部が、第２リフレクタの第３副楕円反射面によって反射され、第１リフレクタから遠ざかる側に進み、次いで、第２リフレクタの第３副楕円反射面からの反射光が、第３リフレクタの第１反射面によって第１リフレクタの第３副反射面に反射され、次いで、断面形状が概略二等辺三角形の第１リフレクタの第３副反射面からの反射光が、二等辺がなす頂点の側に照射されるようにし、
第１副楕円反射面の第２焦点と、第２副楕円反射面の第２焦点と、第３副楕円反射面の第２焦点とを互いに異なる位置に配置したことを特徴とする請求項１に記載の照明装置。
【請求項７】
第１リフレクタおよび第２リフレクタを包囲するフレーム状の部材によって第３リフレクタを構成したことを特徴とする請求項２に記載の照明装置。
【発明の詳細な説明】
【技術分野】
【０００１】
本発明は、断面形状が概略二等辺三角形のリフレクタが設けられ、二等辺三角形の二等辺の少なくとも一方の辺に対応する位置にリフレクタの反射面が形成され、二等辺がなす頂点の側にリフレクタの反射面からの反射光が照射されるように構成された照明装置に関し、特には、光源からの直射光が照明装置の照射方向に照射されてしまうのを回避することができる照明装置に関する。
【０００２】
詳細には、本発明は、光源からの直射光が照明装置の照射方向に照射されてしまうのを回避しつつ、照明装置の照射方向に直交する方向の寸法を小型化することができる照明装置に関する。
【背景技術】
【０００３】
従来から、断面形状が概略二等辺三角形のリフレクタが設けられ、二等辺三角形の二等辺の少なくとも一方の辺に対応する位置にリフレクタの反射面が形成され、二等辺がなす頂点の側にリフレクタの反射面からの反射光が照射されるように構成された照明装置が知られている。この種の照明装置の例としては、例えば特開２００２−１８４２１２号公報の図５に記載されたものがある。
【０００４】
特開２００２−１８４２１２号公報の図５に記載された照明装置では、リフレクタの反射面が放物反射面によって構成され、その放物反射面の焦点の近傍に光源が配置されている。そのため、特開２００２−１８４２１２号公報の図５に記載された照明装置では、光源から放射された光が、リフレクタの放物反射面によって配光制御され、二等辺がなす頂点の側に照射される。
【０００５】
ところで、特開２００２−１８４２１２号公報の図５に記載された照明装置では、光源が、リフレクタの反射面の背面側の位置ではなく、リフレクタの反射面に対向する位置に配置されている。換言すれば、特開２００２−１８４２１２号公報の図５に記載された照明装置では、リフレクタの反射面からの反射光が照射される方向から直接見える位置に光源が配置されている。つまり、照明装置の照射方向から直接見える位置に光源が配置されている。
【０００６】
そのため、特開２００２−１８４２１２号公報の図５に記載された照明装置では、光源から放射された光の一部が、リフレクタの反射面によって配光制御されることなく、直射光として照明装置の照射方向に照射されてしまう。
【０００７】
【特許文献１】特開２００２−１８４２１２号公報の図５
【発明の開示】
【発明が解決しようとする課題】
【０００８】
前記問題点に鑑み、本発明は、光源からの直射光が照明装置の照射方向に照射されてしまうのを回避することができる照明装置を提供することを目的とする。
【０００９】
詳細には、本発明は、光源からの直射光が照明装置の照射方向に照射されてしまうのを回避しつつ、照明装置の照射方向に直交する方向の寸法を小型化することができる照明装置を提供することを目的とする。
【課題を解決するための手段】
【００１０】
請求項１に記載の発明によれば、断面形状が概略二等辺三角形の第１リフレクタを設け、二等辺三角形の二等辺の一方の辺に対応する位置に第１リフレクタの第１反射面を形成し、第１リフレクタの第１反射面の背面側に第１光源を配置し、第１光源から放射された光を集光させるための第１楕円反射面を有する第２リフレクタを、第１光源を隔てて第１リフレクタの反対側に配置し、第１リフレクタから遠ざかる側に進む第２リフレクタの第１楕円反射面からの反射光を第１リフレクタの第１反射面に反射するための第１反射面を有する第３リフレクタを設け、第１光源から放射された光が、第２リフレクタの第１楕円反射面によって反射され、第１リフレクタから遠ざかる側に進み、次いで、第２リフレクタの第１楕円反射面からの反射光が、第３リフレクタの第１反射面によって第１リフレクタの第１反射面に反射され、次いで、断面形状が概略二等辺三角形の第１リフレクタの第１反射面からの反射光が、二等辺がなす頂点の側に照射されるようにしたことを特徴とする照明装置が提供される。
【００１１】
請求項２に記載の発明によれば、二等辺三角形の二等辺の他方の辺に対応する位置に第１リフレクタの第２反射面を形成し、第１リフレクタの第２反射面の背面側に第２光源を配置し、第２光源から放射された光を集光させるための第２楕円反射面を、第２リフレクタに形成すると共に、第２光源を隔てて第１リフレクタの反対側に配置し、第１リフレクタから遠ざかる側に進む第２リフレクタの第２楕円反射面からの反射光を第１リフレクタの第２反射面に反射するための第２反射面を第３リフレクタに形成し、第２光源から放射された光が、第２リフレクタの第２楕円反射面によって反射され、第１リフレクタから遠ざかる側に進み、次いで、第２リフレクタの第２楕円反射面からの反射光が、第３リフレクタの第２反射面によって第１リフレクタの第２反射面に反射され、次いで、断面形状が概略二等辺三角形の第１リフレクタの第２反射面からの反射光が、二等辺がなす頂点の側に照射されるようにしたことを特徴とする請求項１に記載の照明装置が提供される。
【００１２】
請求項３に記載の発明によれば、二等辺三角形の二等辺の一方の辺に対応する位置に形成された第１リフレクタの第１反射面から照射される光を発する第１光源と、二等辺三角形の二等辺の他方の辺に対応する位置に形成された第１リフレクタの第２反射面から照射される光を発する第２光源とを、単一の基板上に配置したことを特徴とする請求項２に記載の照明装置が提供される。
【００１３】
請求項４に記載の発明によれば、二等辺三角形の二等辺の一方の辺に対応する位置に形成された第１リフレクタの第１反射面から照射される光を発する第１光源、および、二等辺三角形の二等辺の他方の辺に対応する位置に形成された第１リフレクタの第２反射面から照射される光を発する第２光源として、単一の光源を用いたことを特徴とする請求項２に記載の照明装置が提供される。
【００１４】
請求項５に記載の発明によれば、第３リフレクタの第１反射面からの反射光を再び第３リフレクタの第１反射面に反射するための第３反射面を第１リフレクタに形成し、第１リフレクタの第３反射面によって１回以上反射された光が、第３リフレクタの第１反射面によって第１リフレクタの第１反射面に反射され、次いで、断面形状が概略二等辺三角形の第１リフレクタの第１反射面からの反射光が、二等辺がなす頂点の側に照射されるようにしたことを特徴とする請求項１に記載の照明装置が提供される。
【００１５】
請求項６に記載の発明によれば、第２リフレクタの第１楕円反射面を第１副楕円反射面と第２副楕円反射面と第３副楕円反射面とに分割し、第１光源を、第１副楕円反射面の第１焦点の近傍であって、第２副楕円反射面の第１焦点の近傍であって、第３副楕円反射面の第１焦点の近傍に配置し、第１リフレクタの第１反射面を第１副反射面と第２副反射面と第３副反射面とに分割し、第１光源から放射された光の一部が、第２リフレクタの第１副楕円反射面によって反射され、第１リフレクタから遠ざかる側に進み、次いで、第２リフレクタの第１副楕円反射面からの反射光が、第３リフレクタの第１反射面によって第１リフレクタの第１副反射面に反射され、次いで、断面形状が概略二等辺三角形の第１リフレクタの第１副反射面からの反射光が、二等辺がなす頂点の側に照射され、第１光源から放射された光の一部が、第２リフレクタの第２副楕円反射面によって反射され、第１リフレクタから遠ざかる側に進み、次いで、第２リフレクタの第２副楕円反射面からの反射光が、第３リフレクタの第１反射面によって第１リフレクタの第２副反射面に反射され、次いで、断面形状が概略二等辺三角形の第１リフレクタの第２副反射面からの反射光が、二等辺がなす頂点の側に照射され、第１光源から放射された光の一部が、第２リフレクタの第３副楕円反射面によって反射され、第１リフレクタから遠ざかる側に進み、次いで、第２リフレクタの第３副楕円反射面からの反射光が、第３リフレクタの第１反射面によって第１リフレクタの第３副反射面に反射され、次いで、断面形状が概略二等辺三角形の第１リフレクタの第３副反射面からの反射光が、二等辺がなす頂点の側に照射されるようにし、第１副楕円反射面の第２焦点と、第２副楕円反射面の第２焦点と、第３副楕円反射面の第２焦点とを互いに異なる位置に配置したことを特徴とする請求項１に記載の照明装置が提供される。
【００１６】
請求項７に記載の発明によれば、第１リフレクタおよび第２リフレクタを包囲するフレーム状の部材によって第３リフレクタを構成したことを特徴とする請求項２に記載の照明装置が提供される。
【発明の効果】
【００１７】
請求項１に記載の照明装置では、断面形状が概略二等辺三角形の第１リフレクタが設けられている。また、二等辺三角形の二等辺の一方の辺に対応する位置に第１リフレクタの第１反射面が形成されている。更に、第１リフレクタの第１反射面の背面側に第１光源が配置されている。
【００１８】
また、請求項１に記載の照明装置では、第１光源から放射された光を集光させるための第１楕円反射面を有する第２リフレクタが、第１光源を隔てて第１リフレクタの反対側に配置されている。更に、第１リフレクタから遠ざかる側に進む第２リフレクタの第１楕円反射面からの反射光を第１リフレクタの第１反射面に反射するための第１反射面を有する第３リフレクタが設けられている。
【００１９】
詳細には、請求項１に記載の照明装置では、第１光源から放射された光が、まず最初に、第２リフレクタの第１楕円反射面によって反射され、第１リフレクタから遠ざかる側に進む。次いで、第２リフレクタの第１楕円反射面からの反射光が、第３リフレクタの第１反射面によって第１リフレクタの第１反射面に反射される。次いで、断面形状が概略二等辺三角形の第１リフレクタの第１反射面からの反射光が、二等辺がなす頂点の側に照射される。
【００２０】
換言すれば、請求項１に記載の照明装置では、第１リフレクタの第１反射面からの反射光が照射される方向から直接見えない位置に第１光源が配置されている。つまり、照明装置の照射方向から直接見えない位置に第１光源が配置されている。そのため、請求項１に記載の照明装置によれば、第１光源からの直射光が照明装置の照射方向に照射されてしまうのを回避することができる。
【００２１】
更に、仮に、第２リフレクタの第１楕円反射面からの反射光が第１リフレクタに近づく側に進むように、第１光源および第２リフレクタが配置されると、照明装置の照射方向に直交する方向の寸法が大型化してしまう点に鑑み、請求項１に記載の照明装置では、上述したように、第２リフレクタの第１楕円反射面からの反射光が第１リフレクタから遠ざかる側に進むように、第１光源および第２リフレクタが配置されると共に、第２リフレクタの第１楕円反射面からの反射光を第１リフレクタの第１反射面に反射するための第１反射面を有する第３リフレクタが設けられている。
【００２２】
そのため、請求項１に記載の照明装置によれば、第２リフレクタの第１楕円反射面からの反射光が第１リフレクタに近づく側に進むように第１光源および第２リフレクタが配置されるのに伴って、照明装置の照射方向に直交する方向の寸法が大型化してしまうのを回避することができる。
【００２３】
つまり、請求項１に記載の照明装置によれば、第１光源からの直射光が照明装置の照射方向に照射されてしまうのを回避しつつ、照明装置の照射方向に直交する方向の寸法を小型化することができる。
【００２４】
更に、請求項１に記載の照明装置では、第２リフレクタの第１楕円反射面によって一旦集光せしめられた光が、第１リフレクタの第１反射面によって反射され、照明装置の照射方向に照射される。つまり、請求項１に記載の照明装置では、第２リフレクタの第１楕円反射面によって配光制御された光が、第１リフレクタの第１反射面によって反射され、照明装置の照射方向に照射される。そのため、請求項１に記載の照明装置によれば、第１光源からの放射光が集光せしめられることなく第１リフレクタの第１反射面によって反射されて照明装置の照射方向に照射される場合よりも、配光制御されることなく照射される光を低減することができる。
【００２５】
請求項２に記載の照明装置では、二等辺三角形の二等辺の他方の辺に対応する位置に第１リフレクタの第２反射面が形成されている。また、第１リフレクタの第２反射面の背面側に第２光源が配置されている。更に、第２光源から放射された光を集光させるための第２楕円反射面が、第２リフレクタに形成されると共に、第２光源を隔てて第１リフレクタの反対側に配置されている。
【００２６】
また、請求項２に記載の照明装置では、第１リフレクタから遠ざかる側に進む第２リフレクタの第２楕円反射面からの反射光を第１リフレクタの第２反射面に反射するための第２反射面が、第３リフレクタに形成されている。
【００２７】
詳細には、請求項２に記載の照明装置では、第２光源から放射された光が、まず最初に、第２リフレクタの第２楕円反射面によって反射され、第１リフレクタから遠ざかる側に進む。次いで、第２リフレクタの第２楕円反射面からの反射光が、第３リフレクタの第２反射面によって第１リフレクタの第２反射面に反射される。次いで、断面形状が概略二等辺三角形の第１リフレクタの第２反射面からの反射光が、二等辺がなす頂点の側に照射される。
【００２８】
換言すれば、請求項２に記載の照明装置では、断面形状が概略二等辺三角形の第１リフレクタが設けられ、二等辺三角形の二等辺の他方の辺に対応する位置に第１リフレクタの第２反射面が形成され、第１リフレクタの第２反射面からの反射光が照明装置の照射方向に照射される。そのため、請求項２に記載の照明装置によれば、二等辺三角形の二等辺の他方の辺に対応する位置に第１リフレクタの第２反射面が形成されていない場合よりも、照明装置の照射方向から照明装置を明るく見せることができる。
【００２９】
また、請求項２に記載の照明装置では、第１リフレクタの第２反射面からの反射光が照射される方向から直接見えない位置に第２光源が配置されている。つまり、照明装置の照射方向から直接見えない位置に第２光源が配置されている。そのため、請求項２に記載の照明装置によれば、第２光源からの直射光が照明装置の照射方向に照射されてしまうのを回避することができる。
【００３０】
更に、仮に、第２リフレクタの第２楕円反射面からの反射光が第１リフレクタに近づく側に進むように、第２光源および第２リフレクタが配置されると、照明装置の照射方向に直交する方向の寸法が大型化してしまう点に鑑み、請求項２に記載の照明装置では、上述したように、第２リフレクタの第２楕円反射面からの反射光が第１リフレクタから遠ざかる側に進むように、第２光源および第２リフレクタが配置されると共に、第２リフレクタの第２楕円反射面からの反射光を第１リフレクタの第２反射面に反射するための第２反射面が、第３リフレクタに形成されている。
【００３１】
そのため、請求項２に記載の照明装置によれば、第２リフレクタの第２楕円反射面からの反射光が第１リフレクタに近づく側に進むように第２光源および第２リフレクタが配置されるのに伴って、照明装置の照射方向に直交する方向の寸法が大型化してしまうのを回避することができる。
【００３２】
更に、請求項２に記載の照明装置では、第２リフレクタの第２楕円反射面によって一旦集光せしめられた光が、第１リフレクタの第２反射面によって反射され、照明装置の照射方向に照射される。つまり、請求項２に記載の照明装置では、第２リフレクタの第２楕円反射面によって配光制御された光が、第１リフレクタの第２反射面によって反射され、照明装置の照射方向に照射される。そのため、請求項２に記載の照明装置によれば、第２光源からの放射光が集光せしめられることなく第１リフレクタの第２反射面によって反射されて照明装置の照射方向に照射される場合よりも、配光制御されることなく照射される光を低減することができる。
【００３３】
請求項３に記載の照明装置では、二等辺三角形の二等辺の一方の辺に対応する位置に形成された第１リフレクタの第１反射面から照射される光を発する第１光源と、二等辺三角形の二等辺の他方の辺に対応する位置に形成された第１リフレクタの第２反射面から照射される光を発する第２光源とが、単一の基板上に配置されている。そのため、請求項３に記載の照明装置によれば、二等辺三角形の二等辺の一方の辺に対応する位置に形成された第１リフレクタの第１反射面から照射される光を発する第１光源のための基板と、二等辺三角形の二等辺の他方の辺に対応する位置に形成された第１リフレクタの第２反射面から照射される光を発する第２光源のための基板とが別個に設けられている場合よりも、照明装置全体の製造コストを低減することができる。
【００３４】
請求項４に記載の照明装置では、二等辺三角形の二等辺の一方の辺に対応する位置に形成された第１リフレクタの第１反射面から照射される光を発する第１光源、および、二等辺三角形の二等辺の他方の辺に対応する位置に形成された第１リフレクタの第２反射面から照射される光を発する第２光源として、単一の光源が用いられている。そのため、請求項４に記載の照明装置によれば、二等辺三角形の二等辺の一方の辺に対応する位置に形成された第１リフレクタの第１反射面から照射される光を発する第１光源、および、二等辺三角形の二等辺の他方の辺に対応する位置に形成された第１リフレクタの第２反射面から照射される光を発する第２光源として、２個の光源が用いられる場合よりも、照明装置全体の製造コストを低減することができる。
【００３５】
請求項５に記載の照明装置では、第３リフレクタの第１反射面からの反射光を再び第３リフレクタの第１反射面に反射するための第３反射面が第１リフレクタに形成されている。
【００３６】
詳細には、請求項５に記載の照明装置では、第１リフレクタの第３反射面によって１回以上反射された光が、第３リフレクタの第１反射面によって第１リフレクタの第１反射面に反射される。次いで、断面形状が概略二等辺三角形の第１リフレクタの第１反射面からの反射光が、二等辺がなす頂点の側に照射される。
【００３７】
そのため、請求項５に記載の照明装置によれば、第３リフレクタの第１反射面からの反射光を再び第３リフレクタの第１反射面に反射するための第３反射面が第１リフレクタに形成されていない場合よりも、第３リフレクタの第１反射面を第１リフレクタの近くに配置することができる。
【００３８】
その結果、請求項５に記載の照明装置によれば、第３リフレクタの第１反射面からの反射光を再び第３リフレクタの第１反射面に反射するための第３反射面が第１リフレクタに形成されていない場合よりも、照明装置の照射方向に直交する方向の寸法を小型化することができる。
【００３９】
請求項６に記載の照明装置では、第２リフレクタの第１楕円反射面が、第１副楕円反射面と第２副楕円反射面と第３副楕円反射面とに分割されている。また、第１光源が、第１副楕円反射面の第１焦点の近傍であって、第２副楕円反射面の第１焦点の近傍であって、第３副楕円反射面の第１焦点の近傍に配置されている。更に、第１リフレクタの第１反射面が、第１副反射面と第２副反射面と第３副反射面とに分割されている。
【００４０】
詳細には、請求項６に記載の照明装置では、第１光源から放射された光の一部が、まず最初に、第２リフレクタの第１副楕円反射面によって反射され、第１リフレクタから遠ざかる側に進む。次いで、第２リフレクタの第１副楕円反射面からの反射光が、第３リフレクタの第１反射面によって第１リフレクタの第１副反射面に反射される。次いで、断面形状が概略二等辺三角形の第１リフレクタの第１副反射面からの反射光が、二等辺がなす頂点の側に照射される。
【００４１】
また、請求項６に記載の照明装置では、第１光源から放射された光の一部が、まず最初に、第２リフレクタの第２副楕円反射面によって反射され、第１リフレクタから遠ざかる側に進む。次いで、第２リフレクタの第２副楕円反射面からの反射光が、第３リフレクタの第１反射面によって第１リフレクタの第２副反射面に反射される。次いで、断面形状が概略二等辺三角形の第１リフレクタの第２副反射面からの反射光が、二等辺がなす頂点の側に照射される。
【００４２】
更に、請求項６に記載の照明装置では、第１光源から放射された光の一部が、まず最初に、第２リフレクタの第３副楕円反射面によって反射され、第１リフレクタから遠ざかる側に進む。次いで、第２リフレクタの第３副楕円反射面からの反射光が、第３リフレクタの第１反射面によって第１リフレクタの第３副反射面に反射される。次いで、断面形状が概略二等辺三角形の第１リフレクタの第３副反射面からの反射光が、二等辺がなす頂点の側に照射される。
【００４３】
また、請求項６に記載の照明装置では、第１副楕円反射面の第２焦点と、第２副楕円反射面の第２焦点と、第３副楕円反射面の第２焦点とが、互いに異なる位置に配置されている。
【００４４】
そのため、請求項６に記載の照明装置によれば、第２リフレクタの第１楕円反射面が複数の副楕円反射面に分割されておらず、第１リフレクタの第１反射面が複数の副反射面に分割されていない場合や、第１副楕円反射面の第２焦点と、第２副楕円反射面の第２焦点と、第３副楕円反射面の第２焦点とが、互いに異なる位置に配置されていない場合よりも、照明装置の照射方向から見た時に強く光って見える部分の面積を大きくすることができる。
【００４５】
請求項７に記載の照明装置では、第１リフレクタおよび第２リフレクタを包囲するフレーム状の部材によって第３リフレクタが構成されている。そのため、請求項７に記載の照明装置によれば、第２リフレクタの第１楕円反射面からの反射光を反射するための反射面と第２リフレクタの第２楕円反射面からの反射光を反射するための反射面とが別個の部材に形成されている場合よりも、第１リフレクタと第２リフレクタと第３リフレクタとの組み付け性を向上させることができる。
【発明を実施するための最良の形態】
【００４６】
以下、本発明の照明装置の第１の実施形態について説明する。図１は第１の実施形態の照明装置の断面図、図２は第１の実施形態の照明装置の光路図である。図１および図２において、１−１，１−２は例えばＬＥＤのような光源を示しており、２は光源１−１，１−２が実装された基板を示している。３は光源１−１，１−２から放射された光を反射するためのリフレクタを示しており、３−１，３−２はリフレクタ３に形成された楕円反射面を示している。
【００４７】
また、図１および図２において、３−１１は楕円反射面３−１の第１焦点を示しており、３−１２は楕円反射面３−１の第２焦点を示している。楕円反射面３−１は、第１焦点３−１１と第２焦点３−１２とを結ぶ直線を中心に楕円弧を回転させることにより、形成されている。３−２１は楕円反射面３−２の第１焦点を示しており、３−２２は楕円反射面３−２の第２焦点を示している。楕円反射面３−２は、第１焦点３−２１と第２焦点３−２２とを結ぶ直線を中心に楕円弧を回転させることにより、形成されている。第１の実施形態の照明装置では、図１に示すように、光源１−１が楕円反射面３−１の第１焦点３−１１の近傍に配置され、光源１−２が楕円反射面３−２の第１焦点３−２１の近傍に配置されている。
【００４８】
更に、図１および図２において、４はリフレクタ３の楕円反射面３−１，３−２からの反射光を反射するためのリフレクタを示しており、４−１，４−２はリフレクタ４に形成された反射面を示している。３−１３はリフレクタ４の反射面４−１によって楕円反射面３−１の第２焦点３−１２が反転された鏡像第２焦点を示している。つまり、第２焦点３−１２および鏡像第２焦点３−１３はリフレクタ４の反射面４−１に対して鏡像関係にある。３−２３はリフレクタ４の反射面４−２によって楕円反射面３−２の第２焦点３−２２が反転された鏡像第２焦点を示している。つまり、第２焦点３−２２および鏡像第２焦点３−２３はリフレクタ４の反射面４−２に対して鏡像関係にある。
【００４９】
また、図１および図２において、５はリフレクタ４の反射面４−１，４−２からの反射光を反射するためのリフレクタを示している。第１の実施形態の照明装置では、図１に示すように、断面形状が概略二等辺三角形Ａになるように、リフレクタ５が構成されている。更に、図１および図２において、５−１，５−２はリフレクタ５に形成された放物反射面を示している。第１の実施形態の照明装置では、図１に示すように、放物反射面５−１の焦点の近傍に鏡像第２焦点３−１３が配置され、放物反射面５−２の焦点の近傍に鏡像第２焦点３−２３が配置されている。放物反射面５−１は、その焦点を通る垂線Ｌ１を中心に放物線を回転させることにより、形成されている。また、放物反射面５−２は、その焦点を通る垂線Ｌ２を中心に放物線を回転させることにより、形成されている。
【００５０】
第１の実施形態の照明装置では、図１に示すように、断面形状が概略二等辺三角形Ａのリフレクタ５が設けられている。また、二等辺三角形Ａの二等辺Ａ１，Ａ２の一方の辺Ａ１に対応する位置にリフレクタ５の放物反射面５−１が形成されている。更に、リフレクタ５の反射面５−１の背面側（図１の下側）に光源１−１が配置されている。
【００５１】
また、第１の実施形態の照明装置では、図１および図２に示すように、光源１−１から放射された光を集光させるための楕円反射面３−１を有するリフレクタ３が、光源１−１を隔ててリフレクタ５の反対側（図１および図２の下側）に配置されている。更に、リフレクタ５から遠ざかる側（図２の右側）に進むリフレクタ３の楕円反射面３−１からの反射光をリフレクタ５の放物反射面５−１に反射するための反射面４−１を有するリフレクタ４が設けられている。
【００５２】
詳細には、第１の実施形態の照明装置では、図２に示すように、光源１−１から放射された光が、まず最初に、リフレクタ３の楕円反射面３−１によって反射され、リフレクタ５から遠ざかる側（図２の右側）に進む。次いで、リフレクタ３の楕円反射面３−１からの反射光が、リフレクタ４の反射面４−１によってリフレクタ５の放物反射面５−１に反射される。次いで、断面形状が概略二等辺三角形Ａ（図１参照）のリフレクタ５の放物反射面５−１からの反射光が、二等辺Ａ１，Ａ２（図１参照）がなす頂点Ａ１２（図１参照）の側（図２の上側）に照射される。
【００５３】
換言すれば、第１の実施形態の照明装置では、図２に示すように、リフレクタ５の放物反射面５−１からの反射光が照射される方向（図２の上側）から直接見えない位置に光源１−１が配置されている。つまり、照明装置の照射方向（図２の上側）から直接見えない位置に光源１−１が配置されている。そのため、第１の実施形態の照明装置によれば、光源１−１からの直射光が照明装置の照射方向（図２の上側）に照射されてしまうのを回避することができる。詳細には、第１の実施形態の照明装置によれば、照明装置の照射方向（図２の上側）から見た時に、光源１−１からの直射光が、リフレクタ５の放物反射面５−１からの反射光よりも強く光って見えてしまうのを回避することができる。
【００５４】
更に、仮に、リフレクタ３の楕円反射面３−１からの反射光がリフレクタ５に近づく側に進むように、光源１−１およびリフレクタ３がリフレクタ４の反射面４−１よりも図２の右側に配置され、かつ、リフレクタ４が省略されると、照明装置の照射方向に直交する方向（図２の左右方向）の寸法が大型化してしまう点に鑑み、第１の実施形態の照明装置では、図２に示すように、リフレクタ３の楕円反射面３−１からの反射光がリフレクタ５から遠ざかる側（図２の右側）に進むように、光源１−１およびリフレクタ３が配置されると共に、リフレクタ３の楕円反射面３−１からの反射光をリフレクタ５の放物反射面５−１に反射するための反射面４−１を有するリフレクタ４が設けられている。そのため、第１の実施形態の照明装置によれば、リフレクタ３の楕円反射面３−１からの反射光がリフレクタ５に近づく側に進むように光源１−１およびリフレクタ３が配置されるのに伴って、照明装置の照射方向に直交する方向（図２の左右方向）の寸法が大型化してしまうのを回避することができる。
【００５５】
更に、第１の実施形態の照明装置では、図２に示すように、リフレクタ３の楕円反射面３−１によって鏡像第２焦点３−１３に一旦集光せしめられた光が、リフレクタ５の放物反射面５−１によって反射され、照明装置の照射方向（図２の上側）に照射される。つまり、第１の実施形態の照明装置では、リフレクタ３の楕円反射面３−１によって配光制御された光が、リフレクタ５の放物反射面５−１によって反射され、照明装置の照射方向（図２の上側）に照射される。そのため、第１の実施形態の照明装置によれば、光源１−１からの放射光が集光せしめられることなくリフレクタ５の放物反射面５−１によって反射されて照明装置の照射方向（図２の上側）に照射される場合よりも、配光制御されることなく照射される光を低減することができる。
【００５６】
また、第１の実施形態の照明装置では、図１に示すように、二等辺三角形Ａの二等辺Ａ１，Ａ２の他方の辺Ａ２に対応する位置にリフレクタ５の放物反射面５−２が形成されている。また、リフレクタ５の放物反射面５−２の背面側（図１の下側）に光源１−２が配置されている。更に、図１および図２に示すように、光源１−２から放射された光を集光させるための楕円反射面３−２が、リフレクタ３に形成されると共に、光源１−２を隔ててリフレクタ５の反対側（図１および図２の下側）に配置されている。
【００５７】
更に、第１の実施形態の照明装置では、図１および図２に示すように、リフレクタ５から遠ざかる側（図２の左側）に進むリフレクタ３の楕円反射面３−２からの反射光をリフレクタ５の放物反射面５−２に反射するための反射面４−２が、リフレクタ４に形成されている。
【００５８】
詳細には、第１の実施形態の照明装置では、図２に示すように、光源１−２から放射された光が、まず最初に、リフレクタ３の楕円反射面３−２によって反射され、リフレクタ５から遠ざかる側（図２の左側）に進む。次いで、リフレクタ３の楕円反射面３−２からの反射光が、リフレクタ４の反射面４−２によってリフレクタ５の放物反射面５−２に反射される。次いで、断面形状が概略二等辺三角形Ａ（図１参照）のリフレクタ５の放物反射面５−２からの反射光が、二等辺Ａ１，Ａ２（図１参照）がなす頂点Ａ１２（図１参照）の側（図２の上側）に照射される。
【００５９】
換言すれば、第１の実施形態の照明装置では、図１に示すように、二等辺三角形Ａの二等辺Ａ１，Ａ２の他方の辺Ａ２に対応する位置にリフレクタ５の放物反射面５−２が形成され、図２に示すように、リフレクタ５の放物反射面５−２からの反射光が照明装置の照射方向（図２の上側）に照射される。そのため、第１の実施形態の照明装置によれば、二等辺三角形Ａの二等辺Ａ１，Ａ２の他方のＡ２辺に対応する位置にリフレクタ５の放物反射面５−２が形成されていない場合よりも、つまり、リフレクタ５に放物反射面５−１のみが形成されている場合よりも、照明装置の照射方向（図２の上側）から照明装置を明るく見せることができる。
【００６０】
また、第１の実施形態の照明装置では、図２に示すように、リフレクタ５の放物反射面５−２からの反射光が照射される方向（図２の上側）から直接見えない位置に光源１−２が配置されている。つまり、照明装置の照射方向（図２の上側）から直接見えない位置に光源１−２が配置されている。そのため、第１の実施形態の照明装置によれば、光源１−２からの直射光が照明装置の照射方向（図２の上側）に照射されてしまうのを回避することができる。詳細には、第１の実施形態の照明装置によれば、照明装置の照射方向（図２の上側）から見た時に、光源１−２からの直射光が、リフレクタ５の放物反射面５−２からの反射光よりも強く光って見えてしまうのを回避することができる。
【００６１】
更に、仮に、リフレクタ３の楕円反射面３−２からの反射光がリフレクタ５に近づく側に進むように、光源１−２およびリフレクタ３がリフレクタ４の反射面４−２よりも図２の左側に配置され、かつ、リフレクタ４が省略されると、照明装置の照射方向に直交する方向（図２の左右方向）の寸法が大型化してしまう点に鑑み、第１の実施形態の照明装置では、図２に示すように、リフレクタ３の楕円反射面３−２からの反射光がリフレクタ５から遠ざかる側（図２の左側）に進むように、光源１−２およびリフレクタ３が配置されると共に、リフレクタ３の楕円反射面３−２からの反射光をリフレクタ５の放物反射面５−２に反射するための反射面４−２が、リフレクタ４に形成されている。そのため、第１の実施形態の照明装置によれば、リフレクタ３の楕円反射面３−２からの反射光がリフレクタ５に近づく側に進むように光源１−２およびリフレクタ３が配置されるのに伴って、照明装置の照射方向に直交する方向（図２の左右方向）の寸法が大型化してしまうのを回避することができる。
【００６２】
また、第１の実施形態の照明装置では、図２に示すように、リフレクタ３の楕円反射面３−２によって鏡像第２焦点３−２３に一旦集光せしめられた光が、リフレクタ５の放物反射面５−２によって反射され、照明装置の照射方向（図２の上側）に照射される。つまり、第１の実施形態の照明装置では、リフレクタ３の楕円反射面３−２によって配光制御された光が、リフレクタ５の放物反射面５−２によって反射され、照明装置の照射方向（図２の上側）に照射される。そのため、第１の実施形態の照明装置によれば、光源１−２からの放射光が集光せしめられることなくリフレクタ５の放物反射面５−２によって反射されて照明装置の照射方向（図２の上側）に照射される場合よりも、配光制御されることなく照射される光を低減することができる。
【００６３】
更に、第１の実施形態の照明装置では、図１および図２に示すように、二等辺三角形Ａの二等辺Ａ１，Ａ２の一方の辺Ａ１に対応する位置に形成されたリフレクタ５の放物反射面５−１から照射される光を発する光源１−１と、二等辺三角形Ａの二等辺Ａ１，Ａ２の他方の辺Ａ２に対応する位置に形成されたリフレクタ５の放物反射面５−２から照射される光を発する光源１−２とが、単一の基板２上に配置されている。そのため、第１の実施形態の照明装置によれば、光源１−１のための基板と光源１−２のための基板とが別個に設けられている場合よりも、つまり、光源１−１と光源１−２との間隔が大きい場合よりも、照明装置全体の製造コストを低減することができる。
【００６４】
第１の実施形態の照明装置では、図１および図２に示すように、リフレクタ４の反射面４−１，４−２が平面によって構成されているが、第２の実施形態の照明装置では、代わりに、平面以外の任意の面によってリフレクタ４の反射面４−１，４−２を構成することも可能である。第２の実施形態の照明装置によれば、垂線Ｌ１に対して角度をなす光、垂線Ｌ１に対してねじれの位置関係にある光などのような拡散光をリフレクタ５の反射面５−１から照明装置の照射方向（図２の上側）に照射することができ、垂線Ｌ２に対して角度をなす光、垂線Ｌ２に対してねじれの位置関係にある光などのような拡散光をリフレクタ５の反射面５−２から照明装置の照射方向（図２の上側）に照射することができる。
【００６５】
更に、第１の実施形態の照明装置では、図１および図２に示すように、リフレクタ５の反射面５−１，５−２が回転放物面によって構成されているが、第３の実施形態の照明装置では、代わりに、回転放物面以外の任意の面によってリフレクタ５の反射面５−１，５−２を構成することも可能である。第３の実施形態の照明装置によれば、垂線Ｌ１に対して角度をなす光、垂線Ｌ１に対してねじれの位置関係にある光などのような拡散光をリフレクタ５の反射面５−１から照明装置の照射方向（図２の上側）に照射することができ、垂線Ｌ２に対して角度をなす光、垂線Ｌ２に対してねじれの位置関係にある光などのような拡散光をリフレクタ５の反射面５−２から照明装置の照射方向（図２の上側）に照射することができる。
【００６６】
図３は第４の実施形態の照明装置の断面図、図４は第４の実施形態の照明装置の光路図である。第１の実施形態の照明装置では、図１および図２に示すように、二等辺三角形Ａの二等辺Ａ１，Ａ２の一方の辺Ａ１に対応する位置に形成されたリフレクタ５の放物反射面５−１から照射される光を発する光源１−１、および、二等辺三角形Ａの二等辺Ａ１，Ａ２の他方の辺Ａ２に対応する位置に形成されたリフレクタ５の放物反射面５−２から照射される光を発する光源１−２として、別個の光源１−１，１−２が用いられているが、第４の実施形態の照明装置では、図３および図４に示すように、二等辺三角形Ａの二等辺Ａ１，Ａ２の一方の辺Ａ１に対応する位置に形成されたリフレクタ５の放物反射面５−１から照射される光を発する光源、および、二等辺三角形Ａの二等辺Ａ１，Ａ２の他方の辺Ａ２に対応する位置に形成されたリフレクタ５の放物反射面５−２から照射される光を発する光源として、単一の光源１’が用いられている。
【００６７】
図３および図４において、３−１’，３−２’はリフレクタ３に形成された楕円反射面を示している。３−１１’は楕円反射面３−１’の第１焦点を示しており、３−１２’は楕円反射面３−１’の第２焦点を示している。楕円反射面３−１’は、第１焦点３−１１’と第２焦点３−１２’とを結ぶ直線を中心に楕円弧を回転させることにより、形成されている。３−２１’は楕円反射面３−２’の第１焦点を示しており、３−２２’は楕円反射面３−２’の第２焦点を示している。楕円反射面３−２’は、第１焦点３−２１’と第２焦点３−２２’とを結ぶ直線を中心に楕円弧を回転させることにより、形成されている。第４の実施形態の照明装置では、図３に示すように、光源１’が、楕円反射面３−１’の第１焦点３−１１’の近傍であって、楕円反射面３−２’の第１焦点３−２１’の近傍に配置されている。
【００６８】
また、図３および図４において、３−１３’はリフレクタ４の反射面４−１によって楕円反射面３−１’の第２焦点３−１２’が反転された鏡像第２焦点を示している。つまり、第２焦点３−１２’および鏡像第２焦点３−１３’はリフレクタ４の反射面４−１に対して鏡像関係にある。３−２３’はリフレクタ４の反射面４−２によって楕円反射面３−２’の第２焦点３−２２’が反転された鏡像第２焦点を示している。つまり、第２焦点３−２２’および鏡像第２焦点３−２３’はリフレクタ４の反射面４−２に対して鏡像関係にある。
【００６９】
第４の実施形態の照明装置では、図３に示すように、放物反射面５−１の焦点の近傍に鏡像第２焦点３−１３’が配置され、放物反射面５−２の焦点の近傍に鏡像第２焦点３−２３’が配置されている。
【００７０】
詳細には、第４の実施形態の照明装置では、図４に示すように、光源１’から放射された光の一部が、まず最初に、リフレクタ３の楕円反射面３−１’によって反射され、リフレクタ５から遠ざかる側（図４の右側）に進む。次いで、リフレクタ３の楕円反射面３−１’からの反射光が、リフレクタ４の反射面４−１によってリフレクタ５の放物反射面５−１に反射される。次いで、断面形状が概略二等辺三角形Ａ（図３参照）のリフレクタ５の放物反射面５−１からの反射光が、二等辺Ａ１，Ａ２（図３参照）がなす頂点Ａ１２（図３参照）の側（図４の上側）に照射される。
【００７１】
また、第４の実施形態の照明装置では、図３および図４に示すように、光源１’から放射された光を集光させるための楕円反射面３−１’を有するリフレクタ３が、光源１’を隔ててリフレクタ５の反対側（図３および図４の下側）に配置されている。更に、リフレクタ５から遠ざかる側（図４の右側）に進むリフレクタ３の楕円反射面３−１’からの反射光をリフレクタ５の放物反射面５−１に反射するための反射面４−１を有するリフレクタ４が設けられている。
【００７２】
更に、仮に、リフレクタ３の楕円反射面３−１’からの反射光がリフレクタ５に近づく側に進むように、光源１’およびリフレクタ３がリフレクタ４の反射面４−１よりも図４の右側に配置され、かつ、リフレクタ４が省略されると、照明装置の照射方向に直交する方向（図４の左右方向）の寸法が大型化してしまう点に鑑み、第４の実施形態の照明装置では、図４に示すように、リフレクタ３の楕円反射面３−１’からの反射光がリフレクタ５から遠ざかる側（図４の右側）に進むように、光源１’およびリフレクタ３が配置されると共に、リフレクタ３の楕円反射面３−１’からの反射光をリフレクタ５の放物反射面５−１に反射するための反射面４−１を有するリフレクタ４が設けられている。そのため、第４の実施形態の照明装置によれば、リフレクタ３の楕円反射面３−１’からの反射光がリフレクタ５に近づく側に進むように光源１’およびリフレクタ３が配置されるのに伴って、照明装置の照射方向に直交する方向（図４の左右方向）の寸法が大型化してしまうのを回避することができる。
【００７３】
更に、第４の実施形態の照明装置では、図４に示すように、リフレクタ３の楕円反射面３−１’によって鏡像第２焦点３−１３’に一旦集光せしめられた光が、リフレクタ５の放物反射面５−１によって反射され、照明装置の照射方向（図４の上側）に照射される。つまり、第４の実施形態の照明装置では、リフレクタ３の楕円反射面３−１’によって配光制御された光が、リフレクタ５の放物反射面５−１によって反射され、照明装置の照射方向（図４の上側）に照射される。そのため、第４の実施形態の照明装置によれば、光源１’からの放射光が集光せしめられることなくリフレクタ５の放物反射面５−１によって反射されて照明装置の照射方向（図４の上側）に照射される場合よりも、配光制御されることなく照射される光を低減することができる。
【００７４】
また、第４の実施形態の照明装置では、図３に示すように、リフレクタ５の放物反射面５−２の背面側（図３の下側）に光源１’が配置されている。更に、図３および図４に示すように、光源１’から放射された光を集光させるための楕円反射面３−２’が、リフレクタ３に形成されると共に、光源１’を隔ててリフレクタ５の反対側（図３および図４の下側）に配置されている。
【００７５】
更に、第４の実施形態の照明装置では、図３および図４に示すように、リフレクタ５から遠ざかる側（図４の左側）に進むリフレクタ３の楕円反射面３−２’からの反射光をリフレクタ５の放物反射面５−２に反射するための反射面４−２が、リフレクタ４に形成されている。
【００７６】
詳細には、第４の実施形態の照明装置では、図４に示すように、光源１’から放射された光の一部が、まず最初に、リフレクタ３の楕円反射面３−２’によって反射され、リフレクタ５から遠ざかる側（図４の左側）に進む。次いで、リフレクタ３の楕円反射面３−２’からの反射光が、リフレクタ４の反射面４−２によってリフレクタ５の放物反射面５−２に反射される。次いで、断面形状が概略二等辺三角形Ａ（図３参照）のリフレクタ５の放物反射面５−２からの反射光が、二等辺Ａ１，Ａ２（図３参照）がなす頂点Ａ１２（図３参照）の側（図４の上側）に照射される。
【００７７】
また、第４の実施形態の照明装置では、図４に示すように、リフレクタ５の放物反射面５−１，５−２からの反射光が照射される方向（図４の上側）から直接見えない位置に光源１’が配置されている。つまり、照明装置の照射方向（図４の上側）から直接見えない位置に光源１’が配置されている。そのため、第４の実施形態の照明装置によれば、光源１’からの直射光が照明装置の照射方向（図４の上側）に照射されてしまうのを回避することができる。詳細には、第４の実施形態の照明装置によれば、照明装置の照射方向（図４の上側）から見た時に、光源１’からの直射光が、リフレクタ５の放物反射面５−１，５−２からの反射光よりも強く光って見えてしまうのを回避することができる。
【００７８】
更に、仮に、リフレクタ３の楕円反射面３−２’からの反射光がリフレクタ５に近づく側に進むように、光源１’およびリフレクタ３がリフレクタ４の反射面４−２よりも図４の左側に配置され、かつ、リフレクタ４が省略されると、照明装置の照射方向に直交する方向（図４の左右方向）の寸法が大型化してしまう点に鑑み、第４の実施形態の照明装置では、図４に示すように、リフレクタ３の楕円反射面３−２’からの反射光がリフレクタ５から遠ざかる側（図４の左側）に進むように、光源１’およびリフレクタ３が配置されると共に、リフレクタ３の楕円反射面３−２’からの反射光をリフレクタ５の放物反射面５−２に反射するための反射面４−２が、リフレクタ４に形成されている。そのため、第４の実施形態の照明装置によれば、リフレクタ３の楕円反射面３−２’からの反射光がリフレクタ５に近づく側に進むように光源１’およびリフレクタ３が配置されるのに伴って、照明装置の照射方向に直交する方向（図４の左右方向）の寸法が大型化してしまうのを回避することができる。
【００７９】
また、第４の実施形態の照明装置では、図４に示すように、リフレクタ３の楕円反射面３−２’によって鏡像第２焦点３−２３’に一旦集光せしめられた光が、リフレクタ５の放物反射面５−２によって反射され、照明装置の照射方向（図４の上側）に照射される。つまり、第４の実施形態の照明装置では、リフレクタ３の楕円反射面３−２’によって配光制御された光が、リフレクタ５の放物反射面５−２によって反射され、照明装置の照射方向（図４の上側）に照射される。そのため、第４の実施形態の照明装置によれば、光源１’からの放射光が集光せしめられることなくリフレクタ５の放物反射面５−２によって反射されて照明装置の照射方向（図４の上側）に照射される場合よりも、配光制御されることなく照射される光を低減することができる。
【００８０】
図５は第５の実施形態の照明装置の断面図、図６は第５の実施形態の照明装置の光路図である。図５および図６において、５−３はリフレクタ４の反射面４−１’からの反射光を再びリフレクタ４の反射面４−１’に反射するためにリフレクタ５に形成された反射面を示している。５−４はリフレクタ４の反射面４−２’からの反射光を再びリフレクタ４の反射面４−２’に反射するためにリフレクタ５に形成された反射面を示している。
【００８１】
第５の実施形態の照明装置では、図５に示すように、リフレクタ４の反射面４−１’が、図１に示した第１の実施形態の照明装置のリフレクタ４の反射面４−１よりも、リフレクタ５の近くに配置されている。つまり、リフレクタ４の反射面４−１’が、図１に示した第１の実施形態の照明装置のリフレクタ４の反射面４−１よりも、図１および図５の左側に配置されている。更に、リフレクタ４の反射面４−２’が、図１に示した第１の実施形態の照明装置のリフレクタ４の反射面４−２よりも、リフレクタ５の近くに配置されている。つまり、リフレクタ４の反射面４−２’が、図１に示した第１の実施形態の照明装置のリフレクタ４の反射面４−２よりも、図１および図５の右側に配置されている。そのため、第５の実施形態の照明装置によれば、図１に示した第１の実施形態の照明装置よりも、照明装置の照射方向に直交する方向（図５の左右方向）の寸法を小型化することができる。
【００８２】
詳細には、第５の実施形態の照明装置では、図６に示すように、リフレクタ５の反射面５−３によって反射された光が、リフレクタ４の反射面４−１’によってリフレクタ５の放物反射面５−１に反射される。次いで、断面形状が概略二等辺三角形Ａ（図５参照）のリフレクタ５の放物反射面５−１からの反射光が、二等辺Ａ１，Ａ２（図５参照）がなす頂点Ａ１２（図５参照）の側（図６の上側）に照射される。更に、リフレクタ５の反射面５−４によって反射された光が、リフレクタ４の反射面４−２’によってリフレクタ５の放物反射面５−２に反射される。次いで、断面形状が概略二等辺三角形Ａ（図５参照）のリフレクタ５の放物反射面５−２からの反射光が、二等辺Ａ１，Ａ２（図５参照）がなす頂点Ａ１２（図５参照）の側（図６の上側）に照射される。
【００８３】
第５の実施形態の照明装置では、図６に示すように、リフレクタ４の反射面４−１’とリフレクタ５の反射面５−３との間で反射が繰り返されるのに伴って、鏡像第２焦点３−１３における集光性が、図２に示した第１の実施形態の照明装置よりも低下する。そのため、第５の実施形態の照明装置によれば、図２に示した第１の実施形態の照明装置よりも拡散性を増加させた光をリフレクタ５の放物反射面５−１から照明装置の照射方向（図６の上側）に照射することができる。同様に、第５の実施形態の照明装置では、図６に示すように、リフレクタ４の反射面４−２’とリフレクタ５の反射面５−４との間で反射が繰り返されるのに伴って、鏡像第２焦点３−２３における集光性が、図２に示した第１の実施形態の照明装置よりも低下する。そのため、第５の実施形態の照明装置によれば、図２に示した第１の実施形態の照明装置よりも拡散性を増加させた光をリフレクタ５の放物反射面５−２から照明装置の照射方向（図６の上側）に照射することができる。
【００８４】
第５の実施形態の照明装置では、図６に示すように、リフレクタ４の反射面４−１’からの反射光がリフレクタ５の反射面５−３によって１回反射されているが、第６の実施形態の照明装置では、代わりに、リフレクタ４の反射面４−１’からの反射光をリフレクタ５の反射面５−３によって２回以上反射することも可能である。また、第５の実施形態の照明装置では、図６に示すように、リフレクタ４の反射面４−２’からの反射光がリフレクタ５の反射面５−４によって１回反射されているが、第６の実施形態の照明装置では、代わりに、リフレクタ４の反射面４−２’からの反射光をリフレクタ５の反射面５−４によって２回以上反射することも可能である。
【００８５】
また、第５の実施形態の照明装置では、図５に示すように、リフレクタ４の反射面４−１’，４−２’およびリフレクタ５の反射面５−３，５−４が平面によって構成されているが、第７の実施形態の照明装置では、代わりに、リフレクタ４の反射面４−１’，４−２’および／またはリフレクタ５の反射面５−３，５−４を平面以外の任意の面によって構成することも可能である。
【００８６】
図７は第８の実施形態の照明装置の概略的な斜視図、図８〜図１０は第８の実施形態の照明装置の概略的な光路図、図１１は第８の実施形態の照明装置の要部の概略的な平面図、図１２は第８の実施形態の照明装置の分解斜視図である。
【００８７】
第１の実施形態の照明装置では、図１に示すように、リフレクタ３の楕円反射面３−１が単一の面、つまり、連続的な面によって構成されているが、第８の実施形態の照明装置では、図７〜図１２に示すように、リフレクタ３の楕円反射面３−１が３個の副楕円反射面３−１ａ，３−１ｂ，３−１ｃに分割されている。
【００８８】
更に、第１の実施形態の照明装置では、図１に示すように、光源１−１がリフレクタ３の楕円反射面３−１の第１焦点３−１１の近傍に配置されているが、第８の実施形態の照明装置では、図７〜図１２に示すように、光源１−１が、副楕円反射面３−１ａの第１焦点３−１ａ１の近傍であって、副楕円反射面３−１ｂの第１焦点３−１ｂ１の近傍であって、副楕円反射面３−１ｃの第１焦点３−１ｃ１の近傍に配置されている。
【００８９】
また、第１の実施形態の照明装置では、図１に示すように、リフレクタ５の放物反射面５−１が単一の面、つまり、連続的な面によって構成されているが、第８の実施形態の照明装置では、図７〜図１２に示すように、リフレクタ５の放物反射面５−１が３個の副放物反射面５−１ａ，５−１ｂ，５−１ｃに分割されている。
【００９０】
詳細には、第８の実施形態の照明装置では、図８に示すように、光源１−１から放射された光の一部が、まず最初に、リフレクタ３の副楕円反射面３−１ａによって反射され、リフレクタ５から遠ざかる側（図８の右側）に進む。次いで、リフレクタ３の副楕円反射面３−１ａからの反射光が、リフレクタ４の反射面４−１によってリフレクタ５の副放物反射面５−１ａに反射される。次いで、断面形状が概略二等辺三角形のリフレクタ５の副放物反射面５−１ａからの反射光が、二等辺がなす頂点の側（図８の上側）に照射される。
【００９１】
また、第８の実施形態の照明装置では、図９に示すように、光源１−１から放射された光の一部が、まず最初に、リフレクタ３の副楕円反射面３−１ｂによって反射され、リフレクタ５から遠ざかる側（図９の右側）に進む。次いで、リフレクタ３の副楕円反射面３−１ｂからの反射光が、リフレクタ４の反射面４−１によってリフレクタ５の副放物反射面５−１ｂに反射される。次いで、断面形状が概略二等辺三角形のリフレクタ５の副放物反射面５−１ｂからの反射光が、二等辺がなす頂点の側（図９の上側）に照射される。
【００９２】
更に、第８の実施形態の照明装置では、図１０に示すように、光源１−１から放射された光の一部が、まず最初に、リフレクタ３の副楕円反射面３−１ｃによって反射され、リフレクタ５から遠ざかる側（図１０の右側）に進む。次いで、リフレクタ３の副楕円反射面３−１ｃからの反射光が、リフレクタ４の反射面４−１によってリフレクタ５の副放物反射面５−１ｃに反射される。次いで、断面形状が概略二等辺三角形のリフレクタ５の副放物反射面５−１ｃからの反射光が、二等辺がなす頂点の側（図１０の上側）に照射される。
【００９３】
また、第８の実施形態の照明装置では、図１１に示すように、副楕円反射面３−１ａの第２焦点３−１ａ２と、副楕円反射面３−１ｂの第２焦点３−１ｂ２と、副楕円反射面３−１ｃの第２焦点３−１ｃ２とが、互いに異なる位置に配置されている。
【００９４】
そのため、第８の実施形態の照明装置によれば、リフレクタ３の楕円反射面３−１が複数の副楕円反射面３−１ａ，３−１ｂ，３−１ｃに分割されておらず、リフレクタ５の放物反射面５−１が複数の副放物反射面５−１ａ，５−１ｂ，５−１ｃに分割されていない場合や、副楕円反射面３−１ａの第２焦点３−１ａ２と、副楕円反射面３−１ｂの第２焦点３−１ｂ２と、副楕円反射面３−１ｃの第２焦点３−１ｃ２とが、互いに異なる位置に配置されていない場合よりも、照明装置の照射方向（図８〜図１０の上側）から見た時に強く光って見える部分の面積を大きくすることができる。
【００９５】
詳細には図示しないが、第８の実施形態の照明装置では、リフレクタ３の楕円反射面３−１と同様に、リフレクタ３の楕円反射面３−２も３個の副楕円反射面に分割されている。また、リフレクタ５の放物反射面５−１と同様に、リフレクタ５の放物反射面５−２も３個の副放物反射面に分割されている。
【００９６】
更に、第８の実施形態の照明装置では、図１２に示すように、リフレクタ５およびリフレクタ３を包囲するフレーム状の部材によってリフレクタ４が構成されている。そのため、第８の実施形態の照明装置によれば、リフレクタ３の楕円反射面３−１からの反射光を反射するための反射面４−１とリフレクタ３の楕円反射面３−２からの反射光を反射するための反射面４−２とが別個の部材に形成されている場合よりも、リフレクタ５とリフレクタ３とリフレクタ４との組み付け性を向上させることができる。
【００９７】
第８の実施形態の照明装置では、リフレクタ３の楕円反射面３−１が３個の副楕円反射面３−１ａ，３−１ｂ，３−１ｃに分割され、リフレクタ５の放物反射面５−１が３個の副放物反射面５−１ａ，５−１ｂ，５−１ｃに分割されているが、第９の実施形態の照明装置では、リフレクタ３の楕円反射面３−１を３個以外の任意の数の副楕円反射面に分割し、リフレクタ５の放物反射面５−１を３個以外の任意の数の副放物反射面に分割することも可能である。
【００９８】
第１０の実施形態では、上述した第１から第９の実施形態を適宜組み合わせることも可能である。
【産業上の利用可能性】
【００９９】
本発明の照明装置は、例えば遊技機器の演出用照明、車両用灯具、一般照明等の各種照明装置等に適用可能である。
【図面の簡単な説明】
【０１００】
【図１】第１の実施形態の照明装置の断面図である。
【図２】第１の実施形態の照明装置の光路図である。
【図３】第４の実施形態の照明装置の断面図である。
【図４】第４の実施形態の照明装置の光路図である。
【図５】第５の実施形態の照明装置の断面図である。
【図６】第５の実施形態の照明装置の光路図である。
【図７】第８の実施形態の照明装置の概略的な斜視図である。
【図８】第８の実施形態の照明装置の概略的な光路図である。
【図９】第８の実施形態の照明装置の概略的な光路図である。
【図１０】第８の実施形態の照明装置の概略的な光路図である。
【図１１】第８の実施形態の照明装置の要部の概略的な平面図である。
【図１２】第８の実施形態の照明装置の分解斜視図である。
【符号の説明】
【０１０１】
１−１，１−２              光源
２                          基板
３                          リフレクタ
３−１，３−２              楕円反射面
３−１１，３−２１          第１焦点
３−１２，３−２２          第２焦点
３−１３，３−２３          鏡像第２焦点
４                          リフレクタ
４−１，４−２              反射面
５                          リフレクタ
５−１，５−２              反射面
【図１】
2008235038.tif 000003
【図２】
2008235038.tif 000004
【図３】
2008235038.tif 000005
【図４】
2008235038.tif 000006
【図５】
2008235038.tif 000007
【図６】
2008235038.tif 000008
【図７】
2008235038.tif 000009
【図８】
2008235038.tif 000010
【図９】
2008235038.tif 000011
【図１０】
2008235038.tif 000012
【図１１】
2008235038.tif 000013
【図１２】
2008235038.tif 000014